(57)【要約】【課題】アクティブファイバスプールのアクティブファイバの巻き数を必要以上に減らすことなくアクティブファイバの引き出しを行って、融着処理を継続できるファイバレーザ発振器を提供する。【解決手段】レーザ光を射出するファイバレーザ発振器１であって、レーザ光の特定の波長成分を反射するファイバブラッググレーティング４と、アクティブファイバ６ａが巻かれて収納されたアクティブファイバスプール６とを備える。アクティブファイバスプール６は、アクティブファイバ６ａを引き出すため、その外周に沿って設けられた複数の外周取出口１４を有する。ファイバブラッググレーティング４よりの光ファイバとアクティブファイバスプール６よりのアクティブファイバ６ａとの融着の失敗回数が所定回数以上の場合に、アクティブファイバ６ａの外周取出口１４を変更して、アクティブファイバスプール６よりのアクティブファイバ６ａの引き出し長さを調節する。【選択図】図４
2020021860.tif 000002
【特許請求の範囲】
【請求項１】
レーザ光の特定の波長成分を反射するファイバブラッググレーティングと、アクティブファイバが巻かれた状態で収納されたアクティブファイバスプールと、を備え、
前記アクティブファイバスプールは、外周部に所定の角度の間隔で設けられた、前記アクティブファイバを引き出すための複数の外周取出口を有する
ファイバレーザ発振器。
【請求項２】
前記複数の外周取出口は、
前記アクティブファイバスプールよりアクティブファイバが予め引き出される１つの第１の外周取出口と、
前記ファイバブラッググレーティングよりの光ファイバと前記アクティブファイバスプールより引き出されたアクティブファイバとの融着の失敗回数が所定回数以上の場合に、前記第１の外周取出口に代えて、前記アクティブファイバが引き出される１または複数の第２の外周取出口と、
を有する請求項１に記載のファイバレーザ発振器。
【請求項３】
前記ファイバブラッググレーティングよりの光ファイバと前記アクティブファイバスプールより引き出されたアクティブファイバとの融着点を収納して保護するファイバ融着点ホルダと、
前記アクティブファイバスプールおよび前記ファイバ融着点ホルダが固定される冷却プレートと、
をさらに有する請求項２に記載のファイバレーザ発振器。
【請求項４】
前記アクティブファイバスプールは、前記アクティブファイバが前記第２の外周取出口より引き出されるとき、前記冷却プレートに対する前記アクティブファイバスプールの回転方向の位置が、前記アクティブファイバが前記第１の外周取出口より引き出されるときの前記冷却プレートに対する前記アクティブファイバスプールの回転方向の位置と異ならせて、前記冷却プレートに固定されている
請求項３に記載のファイバレーザ発振器。
【請求項５】
前記アクティブファイバスプールは、高反射ファイバブラッググレーティングと、低反射ファイバブラッググレーティングとの間に設けられており、
前記ファイバブラッググレーティングは前記高反射ファイバブラッググレーティングである
請求項１〜４のいずれか１項に記載のファイバレーザ発振器。
【請求項６】
レーザ光の特定の波長成分を反射するファイバブラッググレーティングよりの光ファイバと、アクティブファイバが巻かれた状態で収納されたアクティブファイバスプールの外周部に設けられた第１の外周取出口より引き出された前記アクティブファイバとを融着する第１の融着工程と、
前記ファイバブラッググレーティングよりの光ファイバと前記アクティブファイバとの融着の失敗回数が所定回数以上の場合に、前記アクティブファイバの前記アクティブファイバスプールからの引き出し長さを調節するために、前記第１の外周取出口に代えて、前記外周部に設けられ、前記第１の外周取出口と所定の角度だけ離れた位置に設けられた第２の外周取出口より前記アクティブファイバを引き出す取出口変更工程と、
前記ファイバブラッググレーティングよりの光ファイバと、前記第２の外周取出口より引き出された前記アクティブファイバとを融着する第２の融着工程と、
を含むファイバ融着方法。
【請求項７】
レーザ光の特定の波長成分を反射するファイバブラッググレーティングよりの光ファイバと、アクティブファイバが巻かれた状態で収納されたアクティブファイバスプールの外周部に設けられた第１の外周取出口より引き出された前記アクティブファイバとを融着する第１の融着工程と、
前記ファイバブラッググレーティングよりの光ファイバと前記アクティブファイバとの融着の失敗回数が所定回数以上の場合に、前記アクティブファイバの前記アクティブファイバスプールからの引き出し長さを調節するために、前記第１の外周取出口に代えて、前記外周部に設けられ、前記第１の外周取出口と所定の角度だけ離れた位置に設けられた第２の外周取出口より前記アクティブファイバを引き出す取出口変更工程と、
前記ファイバブラッググレーティングよりの光ファイバと、前記第２の外周取出口より引き出された前記アクティブファイバとを融着する第２の融着工程と、
前記第２の融着工程により融着された前記ファイバブラッググレーティングよりの光ファイバと前記第２の外周取出口より引き出された前記アクティブファイバとの融着点を、ファイバ融着点ホルダ内に収納しリコート処理を行う工程と、
冷却プレート上の第１の取り付け位置に前記アクティブファイバスプールを取り付け、前記冷却プレート上の第２の取り付け位置に前記ファイバ融着点ホルダを取り付ける工程と、
を含むファイバレーザ発振器の製造方法。
【発明の詳細な説明】
【技術分野】
【０００１】
本発明は、レーザ加工機において加工対象物を加工するためのレーザ光を射出するファイバレーザ発振器、ファイバ融着方法、およびファイバレーザ発振器の製造方法に関する。
【背景技術】
【０００２】
レーザ光によって加工対象物である板金を加工するレーザ加工機は、レーザ光を射出するレーザ発振器を有する。レーザ発振器としては、小型及び低コストであり、板金の高速切断に適し、また薄板の高速溶接に適しているファイバレーザ発振器がよく用いられている。
【先行技術文献】
【特許文献】
【０００３】
【特許文献１】特開２０１２−２７２４１号公報
【特許文献２】特開２０１２−２３２７４号公報
【発明の概要】
【発明が解決しようとする課題】
【０００４】
ファイバレーザ発振器においては、複数のレーザダイオードより射出されたレーザ光が、励起光コンバイナにより光結合される。その光結合されたレーザ光は、高反射ファイバブラッググレーティングと、低反射ファイバブラッググレーティングとの間に設けられたアクティブファイバスプールのアクティブファイバに入射される。ファイバブラッググレーティングは、レーザ光の特定の波長成分を反射する。
【０００５】
上記構成のファイバレーザ発振器では、その作成工程において、複数箇所で光ファイバ同士の融着が行われる。光ファイバ同士の融着はアーク放電等で行われるが、光ファイバの先端が垂直にならなかったり、軸合わせが正確に行われなかったりして、ファイバ融着を失敗することがある。
【０００６】
ファイバ融着を失敗した場合には、失敗した部分を取り除いて、再度、融着をやり直すため、光ファイバの長さが短くなる。そのため、アクティブファイバとファイバブラッググレーティングとの間においてファイバ融着を行う場合、アクティブファイバを巻いて収納するアクティブファイバスプールの１つの取出口から、所定の長さのアクティブファイバが余長として引き出される。
【０００７】
しかしながら、ファイバ融着失敗の回数が増えると、アクティブファイバの余長では補えなくなってしまう。
【０００８】
ところで、アクティブファイバスプールおよび光ファイバの融着部を保護するファイバ融着点ホルダは、冷却板等の所定位置に設置される構造となっている。そのため、ファイバ融着失敗の回数が増えて、アクティブファイバの長さが所定以上に短くなると、光ファイバの融着部が、所定位置に設置されたファイバ融着点保護ホルダ内に収容できなくなってしまう。
【０００９】
このような場合、アクティブファイバスプールに巻かれたアクティブファイバの巻き数を１つ減らして再度アクティブファイバの取出口から引き出すことにより、アクティブファイバの引き出し長さを伸ばして対応することが考えられる。しかしながら、アクティブファイバスプール１巻き分は余長としては長すぎ、ファイバを不要な曲げやねじりを加えずに冷却プレートに密着させることは困難である。また、アクティブファイバスプールのファイバ励起に必要な巻き数以下になると、求める品質のレーザ光を出力できなくなり、そのアクティブファイバスプールを使用できなくなる。そのような場合、新たなアクティブファイバスプールに交換して、再度ファイバ融着を行わなければならない。
【００１０】
そこで、アクティブファイバとファイバブラッググレーティングとの間におけるファイバ融着失敗の回数が増えてもアクティブファイバスプールのアクティブファイバの巻き数を必要以上に減らすことなくアクティブファイバの引き出しを行って、融着処理を継続できる構成が望まれている。
【００１１】
本発明は、アクティブファイバとファイバブラッググレーティングとの間におけるファイバ融着失敗の回数が増えてもアクティブファイバスプールのアクティブファイバの巻き数を必要以上に減らすことなくアクティブファイバの引き出しを行って、融着処理を継続できるファイバレーザ発振器、ファイバ融着方法、およびファイバレーザ発振器の製造方法を提供することを目的とする。
【課題を解決するための手段】
【００１２】
本発明は、レーザ光の特定の波長成分を反射するファイバブラッググレーティングと、アクティブファイバが巻かれた状態で収納されたアクティブファイバスプールと、を備え、前記アクティブファイバスプールは、外周部に所定の角度の間隔で設けられた、前記アクティブファイバを引き出すための複数の外周取出口を有するファイバレーザ発振器を提供する。
【００１３】
本発明は、レーザ光の特定の波長成分を反射するファイバブラッググレーティングよりの光ファイバと、アクティブファイバが巻かれた状態で収納されたアクティブファイバスプールの外周部に設けられた第１の外周取出口より引き出された前記アクティブファイバとを融着する第１の融着工程と、前記ファイバブラッググレーティングよりの光ファイバと前記アクティブファイバとの融着の失敗回数が所定回数以上の場合に、前記アクティブファイバの前記アクティブファイバスプールからの引き出し長さを調節するために、前記第１の外周取出口に代えて、前記外周部に設けられ、前記第１の外周取出口と所定の角度だけ離れた位置に設けられた第２の外周取出口より前記アクティブファイバを引き出す取出口変更工程と、前記ファイバブラッググレーティングよりの光ファイバと、前記第２の外周取出口より引き出された前記アクティブファイバとを融着する第２の融着工程と、を含むファイバ融着方法を提供する。
【００１４】
本発明は、レーザ光の特定の波長成分を反射するファイバブラッググレーティングよりの光ファイバと、アクティブファイバが巻かれた状態で収納されたアクティブファイバスプールの外周部に設けられた第１の外周取出口より引き出された前記アクティブファイバとを融着する第１の融着工程と、前記ファイバブラッググレーティングよりの光ファイバと前記アクティブファイバとの融着の失敗回数が所定回数以上の場合に、前記アクティブファイバの前記アクティブファイバスプールからの引き出し長さを調節するために、前記第１の外周取出口に代えて、前記外周部に設けられ、前記第１の外周取出口と所定の角度だけ離れた位置に設けられた第２の外周取出口より前記アクティブファイバを引き出す取出口変更工程と、前記ファイバブラッググレーティングよりの光ファイバと、前記第２の外周取出口より引き出された前記アクティブファイバとを融着する第２の融着工程と、前記第２の融着工程により融着された前記ファイバブラッググレーティングよりの光ファイバと前記第２の外周取出口より引き出された前記アクティブファイバとの融着点を、ファイバ融着点ホルダ内に収納しリコート処理を行う工程と、冷却プレート上の第１の取り付け位置に前記アクティブファイバスプールを取り付け、前記冷却プレート上の第２の取り付け位置に前記ファイバ融着点ホルダを取り付ける工程と、を含むファイバレーザ発振器の製造方法を提供する。
【発明の効果】
【００１５】
本発明のファイバレーザ発振器、ファイバ融着方法、およびファイバレーザ発振器の製造方法によれば、アクティブファイバとファイバブラッググレーティングとの間におけるファイバ融着失敗の回数が増えてもアクティブファイバスプールのアクティブファイバの巻き数を必要以上に減らすことなくアクティブファイバの引き出しを行って、融着処理を継続できる。
【図面の簡単な説明】
【００１６】
【図１】各実施形態に係るファイバレーザ発振器の概略的な構成例を示す図である。
【図２】第１実施形態に係るファイバレーザ発振器におけるアクティブファイバスプールと高反射ファイバブラッググレーティングとの間の融着部を示す概略図である。
【図３】第１実施形態に係るファイバレーザ発振器におけるアクティブファイバスプールおよびファイバ融着点ホルダの設置される冷却プレートを示す平面図である。
【図４】各実施形態に係るファイバレーザ発振器で用いられるアクティブファイバスプールの構成図である。
【図５】各実施形態に係るファイバ融着方法を含むファイバレーザ発振器の製造方法を示すフローチャートである。
【図６】各実施形態に係るファイバレーザ発振器においてアクティブファイバを引き出すための外周取出口の変更処理の説明図であり、（a）は変更前の状態を示し、（ｂ）は変更後の状態を示す。
【図７】各実施形態に係るファイバレーザ発振器において外周取出口の変更処理を行った場合におけるアクティブファイバスプールの第１の取り付け位置への取り付け処理を示す概略図である。
【図８】第２実施形態に係るファイバレーザ発振器におけるアクティブファイバスプールと高反射ファイバブラッググレーティングとの間の融着部を示す概略図である。
【発明を実施するための形態】
【００１７】
以下、各実施形態に係るファイバレーザ発振器、ファイバ融着方法、およびファイバレーザ発振器の製造方法について、添付図面を参照して説明する。ファイバレーザ発振器の全体的な構成は、各実施形態で共通である。
【００１８】
図１において、ファイバレーザ発振器１は、所定の波長のレーザ光を射出する複数のレーザダイオード２を有している。レーザダイオード２の数は３個に限定されない。図示していない励起光コンバイナは、複数のレーザダイオード２より射出されたレーザ光を光結合させる。
【００１９】
励起光コンバイナにより光結合されたレーザ光は、光ファイバからなるフィードファイバ３を介して高反射ファイバブラッググレーティング４（以下、第１のＦＢＧ４）と、低反射ファイバブラッググレーティング５（以下、第２のＦＢＧ５）との間に設けられたアクティブファイバスプール６のアクティブファイバ６ａ（図２参照）に入射される。
【００２０】
アクティブファイバスプール６内には、コアに希土類の元素が添加されたアクティブファイバ６ａが巻かれて収納されている。希土類の元素としては、Ｙｂ（イッテルビウム）、Ｅｒ（エルビウム）、Ｎｄ（ネオジム）、Ｈｏ（ホルミウム）等が用いられ、典型的には、Ｙｂが用いられる。第１のＦＢＧ４および第２のＦＢＧ５は、レーザ光の特定の波長成分を反射する。
【００２１】
アクティブファイバスプール６の構成については、後で詳しく説明する。
【００２２】
アクティブファイバ６ａがＹｂ添加ファイバであれば、レーザダイオード２は典型的には波長９１５ｎｍまたは９７６ｎｍのレーザ光を射出する。
【００２３】
アクティブファイバ６ａに入射されたレーザ光はＹｂに吸収され、そのＹｂがレーザ光を吸収する現象によって反転分布が生じてレーザ光が放出される。アクティブファイバ６ａから放出されたレーザ光が第１のＦＢＧ４と第２のＦＢＧ５との間で往復を繰り返し、第２のＦＢＧ５からは、レーザダイオード２が射出するレーザ光の波長とは異なる波長の例えば、波長１０６０ｎｍから１０８０ｎｍレーザ光が射出される。第２のＦＢＧ５より射出されたレーザ光は、ビームカップラ７を介してデリバリファイバ８へと供給される。
【００２４】
図２に示すように、第１実施形態に係るファイバレーザ発振器１の製造方法においては、アクティブファイバスプール６から所定長さで引き出されたアクティブファイバ６ａが、第１のＦＢＧ４からのフィードファイバ３と融着され、その融着点Ｘがファイバ融着点ホルダ９内に収納される。ファイバ融着点ホルダ９は、融着点Ｘを固定して保護する。それにより、融着点Ｘにおいて導波されない光が除去され、融着点Ｘが冷却される。
【００２５】
図３は、アクティブファイバスプール６およびファイバ融着点ホルダ９の設置される冷却プレート１０を示す。
【００２６】
アクティブファイバスプール６およびファイバ融着点ホルダ９は、冷却プレート１０上の所定位置に固定して設置される。
【００２７】
すなわち、図３に示すように、冷却プレート１０上には、アクティブファイバスプール６の第１の取り付け位置１１およびファイバ融着点ホルダ９の第２の取り付け位置１２が設けられる。後述するように、融着処理の終了後に、第１の取り付け位置１１に、アクティブファイバスプール６が、ボルト等の固定具により取り付けられ、第２の取り付け位置１２に、ファイバ融着点ホルダ９が、ボルト等の固定具により取り付けられる。
【００２８】
図４は、図１または図２に示すアクティブファイバスプール６の詳細な構成図である。なお、図４は、アクティブファイバスプール６の状態が見えるよう、蓋を取り外した状態を示している。
【００２９】
図４において、アクティブファイバスプール６は、円形状の収納容器１３の中に、長尺のアクティブファイバ６ａが巻かれて収納されており、収納容器１３の外周部には、アクティブファイバ６ａを引き出すための複数個の外周取出口１４が設けられている。
【００３０】
第１実施形態では、収納容器１３の外周部に、６個の外周取出口１４が約６０°の間隔で設けられている。収納容器１３は、冷却プレート１０の第１の取り付け位置１１に、６つのボルトによって６箇所で固定される。図２〜図４に示すように、アクティブファイバスプール６は、アクティブファイバ６ａの引き出された外周取出口１４がファイバ融着点ホルダ９に近い位置（図４においては収納容器１３の上方の位置）となるように、第１の取り付け位置１１に取り付けられる。
【００３１】
後述するように、ファイバ融着失敗の回数が増えて所定回数以上になった場合に、アクティブファイバ６ａを引き出す外周取出口１４を変更する。それと共に、収納容器１３の第１の取り付け位置１１への取り付け位置を所定の角度だけ回転するように変更することにより、収納容器１３からのアクティブファイバ６ａの引き出し長さを長くすることができる。複数の外周取出口１４が、収納容器１３からのアクティブファイバ６ａの引き出し長さを調節する調節機構を構成する。
【００３２】
すなわち、第１実施形態では、図４に示すように、アクティブファイバ６ａを引き出すための外周取出口１４を、例えば、予めアクティブファイバ６ａが引き出された外周取出口１４a（第１の外周取出口）から、矢印ＤＡ方向へ約６０°離れた外周取出口１４ｂ（第２の外周取出口）に変更する。これに伴って、収納容器１３の第１の取り付け位置１１への取り付け位置を、矢印ＤＡ方向とは逆方向である矢印ＤＢ方向へ約６０°回動するように変更する。
【００３３】
さらに、収納容器１３の内周部には、内周取出口１５が設けられ、その内周取出口１５より引き出されたアクティブファイバ６ａには、第２のＦＢＧ５が接続される。
【００３４】
次に、第１実施形態に係るファイバ融着方法を含むファイバレーザ発振器１の製造方法について説明する。ここでは、図１において、第１のＦＢＧ４からのフィードファイバ３に、アクティブファイバスプール６から所定長さで引き出されたアクティブファイバ６ａを融着する場合について説明する。
【００３５】
図５に示すフローチャートは、第１実施形態に係るファイバ融着方法を含むファイバレーザ発振器の製造方法を示す。
【００３６】
図５のステップ１００において、アクティブファイバ６ａが所定長さだけ予め引き出されたアクティブファイバスプール６を用意する。ここで、アクティブファイバ６ａの収納容器１３からの引き出し長さは、ファイバ融着失敗の回数が所定回数以下の場合に、融着点Ｘがファイバ融着点ホルダ９内に収納される所定長さである。
【００３７】
ステップ１０１において、第１のＦＢＧ４からのフィードファイバ３の先端部分および引き出されたアクティブファイバ６ａの先端部分に対し、ストリップ処理、クリーニング処理、クリーブ処理を施す。
【００３８】
ステップ１０２において、フィードファイバ３のコアとアクティブファイバ６ａのコアとの軸合わせを行い、ステップ１０３において、アーク放電等によりフィードファイバ３のコアとアクティブファイバ６ａのコアとの融着処理（第１の融着処理工程）を行う。
【００３９】
ステップ１０４において、アーク放電等によりフィードファイバ３のコアとアクティブファイバ６ａのコアとの融着処理が成功したか否かが判定され、融着処理が成功した場合、ステップ１０５において、その融着点Ｘをファイバ融着点ホルダ９内に収納し、リコート処理を行う。最後に、ステップ１０６において、冷却プレート１０上の第１の取り付け位置１１にアクティブファイバスプール６の収納容器１３を取り付け、冷却プレート１０上の第２の取り付け位置１２にファイバ融着点ホルダ９を取り付ける。
【００４０】
一方、ステップ１０４において融着処理が失敗した場合、ステップ１０７において、ファイバ融着の失敗回数が所定回数を超えたか否かが判定される。ここで、ファイバ融着失敗の所定回数とは、この所定回数を超えてファイバ融着が失敗すると、アクティブファイバ６ａおよびフィードファイバ３の長さが所定以上に短くなり、ファイバ融着点Ｘが、ファイバ融着点ホルダ９内に収容できなくなってしまう回数である。
【００４１】
ファイバ融着失敗の回数が所定回数を超えた場合、ステップ１０８において、アクティブファイバ６ａを引き出すための外周取出口１４の変更処理を行い、収納容器１３からのアクティブファイバ６ａの引き出し長さが長くなるように調節する。図６は、アクティブファイバ６ａを引き出すための外周取出口１４の変更処理の説明図であり、（a）は変更前の状態を示し、（ｂ）は変更後の状態を示す。
【００４２】
すなわち、第１実施形態では、アクティブファイバ６ａを引き出すための外周取出口１４を現状の外周取出口１４aから、図４の矢印ＤＡ方向へ約６０°離れた外周取出口１４ｂに変更する（取出口変更工程）。これにより、図６（a）に示すように、外周取出口１４aからのアクティブファイバ６ａの引き出し長さがＬ１と短くなっても、図６（ｂ）に示すように、取出口を変更することにより、外周取出口１４ｂからのアクティブファイバ６ａの引き出し長さがＬ１よりも長いＬ２となる。
【００４３】
ステップ１０８においてアクティブファイバ６ａの引き出し長さを長くした後、ステップ１０１に戻る。ステップ１０１において、ストリップ処理、クリーニング処理、クリーブ処理を再度行い、ステップ１０２において、フィードファイバ３のコアとアクティブファイバ６ａのコアとの軸合わせを行う。引き続き、ステップ１０３において、アーク放電等によりフィードファイバ３のコアとアクティブファイバ６ａのコアとの融着処理（第２の融着処理工程）を行う。なお、ステップ１０７において、ファイバ融着失敗の回数が所定回数を超えていない場合もステップ１０１に戻る。
【００４４】
なお、ファイバ融着失敗の回数が所定回数を超えた場合に、アクティブファイバ６ａの引き出し長さを長くせずに短いままでファイバ融着を行うと、ファイバ融着点Ｘが、ファイバ融着点ホルダ９内に収容できなくなってしまう。このような場合、そのアクティブファイバスプールは使用できなくなり、新たなアクティブファイバスプールを使用して、再度ファイバ融着を行わなければならなくなる。
【００４５】
図７は、外周取出口１４の変更処理を行った場合における収納容器１３の第１の取り付け位置１１への取り付け処理を概略的に示している。なお、ステップ１０８におけるアクティブファイバ６ａを引き出すための外周取出口１４の変更処理を行った場合、ステップ１０６において、冷却プレート１０上の第１の取り付け位置１１に収納容器１３を取り付ける際に、図７に示すように、収納容器１３の第１の取り付け位置１１への取り付け位置を矢印ＤＢ方向へ約６０°回動するように変更して取り付ける。これにより、外周取出口１４ｂの位置が、図７の上方の位置であってファイバ融着点ホルダ９の方向へと近づくように変更される。
【００４６】
第１実施形態によれば、第１のＦＢＧ４からのフィードファイバ３に、アクティブファイバスプール６から所定長さで引き出されたアクティブファイバ６ａを融着する際に、ファイバ融着失敗の回数が増えた場合にも、簡単にアクティブファイバ６ａの引き出し長さを長く調節することができる。そのため、アクティブファイバスプール６のアクティブファイバの巻き数を必要以上に減らすことなくアクティブファイバの引き出しを行って融着処理を継続できる。なお、アクティブファイバ６ａを引き出す外周取出口１４が外周取出口１４ｂからさらに周方向の次の外周取出口１４へと変更された場合には、その外周取出口１４も第２の外周取出口となる。
【００４７】
次に、第２実施形態に係るファイバレーザ発振器について説明する。第２実施形態において、第１実施形態との相違点のみを説明する。
【００４８】
図８は、第２実施形態に係るファイバレーザ発振器を概略的に示している。第２実施形態では、上述した第１実施形態の特徴に加えて、さらに、ファイバ融着点ホルダ９の全長を長くしている。
【００４９】
図８に示すように、第２実施形態では、ファイバ融着点ホルダ９の長さＭ２が、図２に示す第１実施形態におけるファイバ融着点ホルダ９の長さＭ１より長くなっている。
【００５０】
第２実施形態によれば、ファイバ融着点Ｘが、ファイバ融着点ホルダ９内に収容される範囲が広がるので、第１実施形態におけるファイバ融着失敗の所定回数より多くのファイバ融着失敗の回数を許容できるようになる。言い換えれば、ファイバ融着失敗の所定回数を増やすことができる。
【００５１】
本発明は以上説明した実施形態に限定されるものではなく、本発明の要旨を逸脱しない範囲において種々変更可能である。
【００５２】
上述した実施形態では、アクティブファイバスプール６において、収納容器１３の外周部に６個の外周取出口１４が約６０°の間隔で設けられているが、これに限定されず、例えば、約９０°の間隔で４個設けるようにしてもよいし、約４０°の間隔で９個設けるようにしてもよい。
【００５３】
また、上述した実施形態では、第１のＦＢＧ４からのフィードファイバ３に、アクティブファイバスプール６から所定長さで引き出されたアクティブファイバ６ａを融着する例について説明したが、他の融着箇所にも適用できる。例えば、アクティブファイバスプール６から所定長さで引き出されたアクティブファイバ６ａを第２のＦＢＧ５からのフィードファイバ３に融着する場合にも適用できる。
【符号の説明】
【００５４】
１  ファイバレーザ発振器
２  複数のレーザダイオード
３  フィードファイバ
４  高反射ファイバブラッググレーティング
５  低反射ファイバブラッググレーティング
６  アクティブファイバスプール
６ａ  アクティブファイバ
７  ビームカップラ
８  デリバリファイバ
９  ファイバ融着点ホルダ
１０  冷却プレート
１１  第１の取り付け位置
１２  第２の取り付け位置
１３  収納容器
１４  外周取出口
１５  内周取出口
【図１】
2020021860.tif 000003
【図２】
2020021860.tif 000004
【図３】
2020021860.tif 000005
【図４】
2020021860.tif 000006
【図５】
2020021860.tif 000007
【図６】
2020021860.tif 000008
【図７】
2020021860.tif 000009
【図８】
2020021860.tif 000010
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
レーザ光の特定の波長成分を反射するファイバブラッググレーティングと、アクティブファイバが巻かれた状態で収納されたアクティブファイバスプールと、
前記ファイバブラッググレーティングよりの光ファイバと前記アクティブファイバスプールより引き出されたアクティブファイバとの融着点を収納して保護するファイバ融着点ホルダと、冷却プレートと、を備え、
前記冷却プレート上に、前記アクティブファイバスプールおよび前記ファイバ融着点ホルダが固定され、
前記アクティブファイバスプールは、外周部に所定の角度の間隔で設けられた、前記アクティブファイバを引き出すための複数の外周取出口を有するファイバレーザ発振器。
【請求項２】
前記複数の外周取出口は、
前記アクティブファイバスプールよりアクティブファイバが予め引き出される１つの第１の外周取出口と、
前記ファイバブラッググレーティングよりの光ファイバと前記アクティブファイバスプールより引き出されたアクティブファイバとの融着の失敗回数が所定回数以上の場合に、前記第１の外周取出口に代えて、前記アクティブファイバが引き出される１または複数の第２の外周取出口と、
を有する請求項１に記載のファイバレーザ発振器。
【請求項３】
前記アクティブファイバスプールは、前記アクティブファイバが前記第２の外周取出口より引き出されるとき、前記冷却プレートに対する前記アクティブファイバスプールの回転方向の位置が、前記アクティブファイバが前記第１の外周取出口より引き出されるときの前記冷却プレートに対する前記アクティブファイバスプールの回転方向の位置と異ならせて、前記冷却プレートに固定されている
請求項２に記載のファイバレーザ発振器。
【請求項４】
前記アクティブファイバスプールは、高反射ファイバブラッググレーティングと、低反射ファイバブラッググレーティングとの間に設けられており、
前記ファイバブラッググレーティングは前記高反射ファイバブラッググレーティングである
請求項１〜３のいずれか１項に記載のファイバレーザ発振器。
【請求項５】
レーザ光の特定の波長成分を反射するファイバブラッググレーティングよりの光ファイバと、アクティブファイバが巻かれた状態で収納されたアクティブファイバスプールの外周部に設けられた第１の外周取出口より引き出された前記アクティブファイバとを融着する第１の融着工程と、
前記ファイバブラッググレーティングよりの光ファイバと前記アクティブファイバとの融着の失敗回数が所定回数以上の場合に、前記アクティブファイバの前記アクティブファイバスプールからの引き出し長さを調節するために、前記第１の外周取出口に代えて、前記外周部に設けられ、前記第１の外周取出口と所定の角度だけ離れた位置に設けられた第２の外周取出口より前記アクティブファイバを引き出す取出口変更工程と、
前記ファイバブラッググレーティングよりの光ファイバと、前記第２の外周取出口よりの前記アクティブファイバとを融着する第２の融着工程と、
前記第２の融着工程により融着された前記ファイバブラッググレーティングよりの光ファイバと前記第２の外周取出口よりの前記アクティブファイバとの融着点を、ファイバ融着点ホルダ内に収納しリコート処理を行う工程と、
冷却プレート上の第１の取り付け位置に前記アクティブファイバスプールを取り付け、前記冷却プレート上の第２の取り付け位置に前記ファイバ融着点ホルダを取り付ける工程と、
を含むファイバレーザ発振器の製造方法。
【手続補正２】
【補正対象書類名】明細書
【補正対象項目名】００１２
【補正方法】変更
【補正の内容】
【００１２】
本発明は、レーザ光の特定の波長成分を反射するファイバブラッググレーティングと、アクティブファイバが巻かれた状態で収納されたアクティブファイバスプールと、前記ファイバブラッググレーティングよりの光ファイバと前記アクティブファイバスプールより引き出されたアクティブファイバとの融着点を収納して保護するファイバ融着点ホルダと、冷却プレートと、を備え、前記冷却プレート上に、前記アクティブファイバスプールおよび前記ファイバ融着点ホルダが固定され、前記アクティブファイバスプールは、外周部に所定の角度の間隔で設けられた、前記アクティブファイバを引き出すための複数の外周取出口を有するファイバレーザ発振器を提供する。
【手続補正３】
【補正対象書類名】明細書
【補正対象項目名】００１３
【補正方法】変更
【補正の内容】
【００１３】
レーザ光の特定の波長成分を反射するファイバブラッググレーティングよりの光ファイバと、アクティブファイバが巻かれた状態で収納されたアクティブファイバスプールの外周部に設けられた第１の外周取出口より引き出された前記アクティブファイバとを融着する第１の融着工程と、前記ファイバブラッググレーティングよりの光ファイバと前記アクティブファイバとの融着の失敗回数が所定回数以上の場合に、前記アクティブファイバの前記アクティブファイバスプールからの引き出し長さを調節するために、前記第１の外周取出口に代えて、前記外周部に設けられ、前記第１の外周取出口と所定の角度だけ離れた位置に設けられた第２の外周取出口より前記アクティブファイバを引き出す取出口変更工程と、前記ファイバブラッググレーティングよりの光ファイバと、前記第２の外周取出口よりの前記アクティブファイバとを融着する第２の融着工程と、前記第２の融着工程により融着された前記ファイバブラッググレーティングよりの光ファイバと前記第２の外周取出口よりの前記アクティブファイバとの融着点を、ファイバ融着点ホルダ内に収納しリコート処理を行う工程と、冷却プレート上の第１の取り付け位置に前記アクティブファイバスプールを取り付け、前記冷却プレート上の第２の取り付け位置に前記ファイバ融着点ホルダを取り付ける工程と、を含むファイバレーザ発振器の製造方法を提供する。
【手続補正４】
【補正対象書類名】明細書
【補正対象項目名】００１４
【補正方法】削除
【補正の内容】